(57)【特許請求の範囲】
【請求項１】
シールドケースの内部に複数の機器側端子が設けられているとともに前記シールドケースに前記機器側端子と対応する接続孔が形成された機器に対して接続されるものであって、
全体として略Ｌ字形をなし、一端から前記機器側端子との接続部を突出させるとともに、他端から電線を導出させた複数のコネクタを備え、
前記接続部が、前記接続孔から前記シールドケース内に差し込まれて前記機器側端子に接続されるとともに、
前記接続孔から前記コネクタが略Ｌ字形に突出して前記電線が前記シールドケースの外壁面に沿って配索され、
前記複数のコネクタ及び電線を一括シールド手段により一括してシールドするようにしたものにおいて、
前記一括シールド手段は、
前記コネクタのうち前記シールドケース外へ突出した略Ｌ字形部分を覆う形態で前記シールドケースに取り付け可能であり、前記コネクタからの前記電線の導出方向と概ね同じ方向に開口するシェル接続用開口部が形成されているシールドカバーと、
複数の前記電線を包囲した状態で前記シェル接続用開口部への接続を可能とされたシールドシェルと、
前記コネクタのうち前記シールドケース外へ突出した略Ｌ字形部分及び／又は複数の前記電線を包囲した状態で前記シールドシェルの端部に取り付けられると共に、前記シェル接続用開口部の孔縁部に設けられたフランジ部に取り付けられることで、前記シールドカバーと前記シールドシェルとを接続する筒状取付具とを備えて構成されており、
前記シールドカバーには、その前記接続孔と対応するケース取付用開口部と前記シェル接続用開口部の双方の開口部を連通させるとともに、そのシールドカバーの内部を前記シールドケースの外壁面側へ開放させる開放用開口部が形成されていることを特徴とする機器用シールドコネクタ装置。
【発明の詳細な説明】
【０００１】
【発明の属する技術分野】
本発明は、機器用シールドコネクタ装置に関するものである。
【０００２】
【従来の技術】
電気自動車のエンジンルーム内に設けたインバータ装置から延びた動力回路のコネクタを車輪のモータに接続するに際して、モータの近傍に十分な配索スペースを確保できないような場合には、コネクタから導出された電線をほぼ直角に曲げることによりモータの外壁面に沿わせるように配索しなければならない。
【０００３】
ところが、動力回路に用いられる電線は、信号回路に用いられる電線に比べると、導体と絶縁被覆の径が太く、曲げ剛性及び曲げ変形時の復元力も高いことから、電線を所望の曲率に曲げた状態で配索することは困難である。
尚、コネクタハウジングの背面から導出された電線を横向きに曲げるための手段として、実開平５−６９８６８号公報に開示されているように、コネクタハウジングの背面に電線カバーを被せ、その電線カバーの内部で横向きに曲げた電線を電線カバーから側方へ導出させるものがあるが、この電線カバーを用いた手段は、信号回路等に用いられる比較的曲げ剛性の低い電線を適用対象とされたものであり、曲げ剛性の高い動力用電線に適用することは困難である。
【０００４】
そこで、コネクタから導出させた電線を曲げて配索するのではなく、電線に接続されている端子金具、即ちコネクタ全体をＬ字形に曲げる構造が考えられる。コネクタをＬ字形にすれば、コネクタの一方の端部から突出させた端子金具の接続部を、モータのケースの接続孔に差し込んでモータ側端子に接続し、コネクタの他方の端部から導出させた電線を、ケースの外壁面に沿わせて配索することができる。
【０００５】
【発明が解決しようとする課題】
上記のようなＬ字形のコネクタを用いたコネクタ装置において、複数のコネクタ及びその電線を一括してシールドシェルによりシールドする構造がとられることがある。この場合、図７に示すように、シールドシェル１０１の端末部は、コネクタ１０２のうちのモータケース１０３から突出している部分１０２Ａを覆う状態で、モータケース１０３の外壁面に取り付けられるのであるが、コネクタ１０２のうちのモータケース１０３からの突出部分１０２ＡはＬ字形に屈曲していることから、そのコネクタ１０２の突出形状に合わせてシールドシェル１０１の端末部１０１Ａを直角に曲げる必要がある。したがって、コネクタ１０２のモータケース１０３からの突出部分１０２Ａと、モータケース１０３の外壁面との間には、シールドシェル１０１の端末部１０１Ａを入り込ませて直角に向きを変えさせるためのスペース１０４を確保しなければならない。ところが、そのスペース１０４を確保のためには、コネクタ１０２のモータケース１０３の外壁からの突出寸法を大きくする必要があるため、モータケース１０３の外壁面側においてもコネクタ装置用に確保すべき設置スペースが大きくなってしまう、という問題が生じる。
【０００６】
本願発明は上記事情に鑑みて創案され、複数のＬ字形のコネクタ及び電線を一括してシールドシェルによりシールドする場合において、装置全体の小型化を図ることを目的としている。
【０００７】
【課題を解決するための手段】
請求項１の発明は、シールドケースの内部に複数の機器側端子が設けられているとともに前記シールドケースに前記機器側端子と対応する接続孔が形成された機器に対して接続されるものであって、全体として略Ｌ字形をなし、一端から前記機器側端子との接続部を突出させるとともに、他端から電線を導出させた複数のコネクタを備え、前記接続部が、前記接続孔から前記シールドケース内に差し込まれて前記機器側端子に接続されるとともに、前記接続孔から前記コネクタが略Ｌ字形に突出して前記電線が前記シールドケースの外壁面に沿って配索され、前記複数のコネクタ及び電線を一括シールド手段により一括してシールドするようにしたものにおいて、前記一括シールド手段は、前記コネクタのうち前記シールドケース外へ突出した略Ｌ字形部分を覆う形態で前記シールドケースに取り付け可能であり、前記コネクタからの前記電線の導出方向と概ね同じ方向に開口するシェル接続用開口部が形成されているシールドカバーと、複数の前記電線を包囲した状態で前記シェル接続用開口部への接続を可能とされたシールドシェルと、前記コネクタのうち前記シールドケース外へ突出した略Ｌ字形部分及び／又は複数の前記電線を包囲した状態で前記シールドシェルの端部に取り付けられると共に、前記シェル接続用開口部の孔縁部に設けられたフランジ部に取り付けられることで、前記シールドカバーと前記シールドシェルとを接続する筒状取付具とを備えており、前記シールドカバーには、その前記接続孔と対応するケース取付用開口部と前記シェル接続用開口部の双方の開口部を連通させるとともに、そのシールドカバーの内部を前記シールドケースの外壁面側へ開放させる開放用開口部が形成されている構成とした。
【０００９】
【発明の作用及び効果】
［請求項１の発明］
複数のコネクタにおけるシールドケース外へ略Ｌ字形に突出した部分、及びこれらのコネクタの他端から導出する複数の電線は、シールドケースに取り付けたシールドカバーとこのシールドカバーに接続したシールドシェルにより一括してシールドされる。
【００１０】
コネクタのうちシールドケース外へ突出した略Ｌ字形部分をシールドカバーで覆うとともに、シールドシェルの端末部を、シールドケースの外壁面とほぼ平行な直線状にしたままでシールドカバーに接続させるようにしたので、コネクタとシールドケースの外壁面との間にはシールドシェルの端末部を曲げるためのスペースが不要となり、その分、コネクタのシールドケース外への突出寸法を小さくでき、ひいては、装置全体としての小型化を図ることができる。
【００１１】
また、開放用開口部を形成したことにより、コネクタの略Ｌ字形突出部分とシールドケース外壁面との間にはシールドカバーを構成する壁部の一部が介在せずに済むようになり、その分、コネクタをシールドケースの外壁面に接近させることができ、ひいては、装置の更なる小型化が可能となる。
【００１２】
【発明の実施の形態】
［実施形態１］
以下、本発明を具体化した実施形態１を図１乃至図６を参照して説明する。
【００１３】
まず、本実施形態の機器用シールドコネクタ装置Ａが接続される機器４０について説明する。機器４０は、シールドケース４１の内部に３つの機器側端子４２（図２において、機器側端子４２は紙面と直交する方向に並ぶため、図には１つの機器側端子４２のみがあらわれる）を設けるとともに、シールドケース４１の上面壁における３つの機器側端子４２と対応する位置に、円形をなす３つの接続孔４３を形成したものである。シールドケース４１の上面壁には、コネクタ１０をシールドケース４１に固定するための３つの雌ネジ孔４４が、各接続孔４３に隣接して形成されているとともに、後述するシールドカバー１７をシールドケース４１に固定するための２つの雌ネジ孔（図示せず）が形成されている。また、３つの機器側端子４２は、平板状をなすとともに、機器本体４５から接続孔４３に向かって上方へ突出しており、各機器側端子４２にはボルト孔（図示せず）が形成されている。
【００１４】
本実施形態の機器用シールドコネクタ装置Ａは、３つのコネクタ１０と、各コネクタ１０から導出された電線１１と、この３つのコネクタ１０と電線１１を一括してシールドする一括シールド手段１６とを備えて構成されている。
コネクタ１０は、全体として略Ｌ字形をなし、端子金具１２と、樹脂モールドにより端子金具１２と一体に成形したコネクタ本体１３とからなる。コネクタ本体１３は、下向きの垂下部１３ａとこの垂下部１３ａの上端から後方へ延出する水平部１３ｂとからなる。垂下部１３ａの下端面からは、端子金具１２の一部である板状の接続部１２ａが突出されており、この接続部１２ａにはボルト孔１２ｂが形成されている。水平部１３ｂの後端面からは、コネクタ本体１３の内部において端子金具１２に圧着された電線１１が後方へ導出されている。コネクタ本体１３の垂下部１３ａはシールドケース４１の接続孔４３に対して上から（シールドケース４１の外部から）嵌入されるようになっており、この垂下部１３ａの外周には、シールリング１４と、ボルト孔１５ａを有するブラケット１５が装着されている。
【００１５】
一括シールド手段１６は、シールドケース４１の上面に取り付けられるシールドカバー１７と、シールドシェル２６と、シールドシェル２６をシールドカバー１７に取り付けるための筒状取付具２７とからなる。
シールドカバー１７は、アルミダイキャスト製であり、その下面（シールドケース４１の上面と対応する面）と後面とがその全面に亘って開放されている。シールドカバー１７の前面壁１８と上面壁１９は互いに滑らかに弧状に連なっており、この前面壁１８及び上面壁１９の左右両側縁には左右両側壁２０が連なっている。シールドカバー１７の下面の開放領域における前側の広い部分は、３つの接続孔４３に対して一括して対応するケース取付用開口部２１とされている。シールドカバー１７の後面の開放領域は、コネクタ１０からの電線１１の導出方向と概ね同じ方向に開口するシェル接続用開口部２２とされている。また、シールドカバー１７の下面の開放領域のうち後端側部分は、ケース取付用開口部２１とシェル接続用開口部２２とを連通させるとともにシールドカバー１７の内部を外部（シールドカバー１７の下方、即ちシールドケース４１側）へ開放させる開放用開口部２３とされている。かかるシールドカバー１７は、シールドケース４１に取り付けられた３つのコネクタ１０の水平部１３ｂを一括して覆うようにしてシールドケース４１に組み付けられる。
【００１６】
かかるシールドカバー１７における前面壁１８の右下端及び左側の側壁２０の後下端には、夫々、ボルト孔２４ａを有する取付け片２４が形成されている。また、シールドカバー１７における上面壁１９の後端縁から左右両側壁２０の後端縁に亘る門形領域には、フランジ部２５が形成されており、このフランジ部２５の左右両端部には雌ネジ孔２５ａが形成されている。
シールドシェル２６は、金属細線を扁平筒状に編んだ編組から構成され、そのシールドシェル２６の内部には、コネクタ１０から導出された３本の電線１１が一括して挿通されるようになっている。
【００１７】
筒状取付具２７は、全体としてシールドシェル２６とに合わせた扁平なリング状をなし、導電性のインナリング２８と導電性のアウタリング２９とから構成され、シールドシェル２６の端末部に固着されている。固着に際しては、インナリング２８の外周にシールドシェル２６の端末部を外嵌し、その外にアウタリング２９を外嵌し、この状態で両リング２８，２９をシールドシェル２６にカシメ付ける。これにより、両リング２８，２９の間にシールドシェル２６が挟まれた状態で且つ導通可能な状態に固着される。また、インナリング２８の左右両端には、ボルト孔３０ａを有する取付け片３０が形成されている。
【００１８】
次に、本実施形態の作用を説明する。
本実施形態の機器用シールドコネクタ装置Ａを機器４０に接続する際には、まず、シールリング１４とブラケット１５をコネクタ１０に取り付け、そのコネクタ１０の垂下部１３ａを各接続孔４３に嵌合させ、接続部１２ａを機器側端子４２に重ねる。そして、各コネクタ１０のブラケット１５のボルト孔１５ａに通したボルト３１をシールドケース４１の雌ネジ孔４４に螺合して締め付け、ブラケット１５を介してコネクタ１０をシールドケース４１に固定する。この状態では、コネクタ１０の垂下部１３ａの上端部と水平部１３ｂの全体は、シールドケース４１の外方（上方）へ略Ｌ字状をなして突出し、その水平部１３ｂから導出された電線１１はシールドケース４１の外面に沿って後方へ配索される。また、接続孔４３と垂下部１３ａとの間はシールリング１４によってシールされる。一方、シールドケース４１の内部では、接続部１２ａのボルト孔１２ｂと機器側端子４２のボルト孔にボルト３２を通してナット３３と共に締め付け、接続部１２ａを機器側端子４２に接続する。
【００１９】
次に、予め３本の電線１１を一括して包囲するように仮組みされているシールドシェル２６の端末部とシールドカバー１７とを組み付ける。組付けに際しては、インナリング２８のボルト孔３０ａに通したボルト（図示せず）をシールドカバー１７の雌ネジ孔２５ａに螺合して締め付けることにより、シールドカバー１７のシェル接続用開口部２２とシールドシェル２６の端末部とが導通可能に接続される。
【００２０】
この後、シールドカバー１７をシールドケース４１に組み付ける。組付けに際しては、シールドカバー１７をシールドケース４１の外面に宛い、そのシールドカバー１７により、３つのコネクタ１０におけるシールドケース４１の外部へ突出した略Ｌ字形の部分（垂下部１３ａの上端部と水平部１３ｂ）を一括して覆い隠すとともに、シールドカバー１７のケース取付用開口部２１を３つの接続孔４３と対応させる。そして、シールドカバー１７のボルト孔２４ａに通したボルト３４をシールドケース４１の雌ネジ孔に螺合して締め付けると、シールドカバー１７は、その前面壁１８の下端縁及び左右両側壁２０の下端縁をシールドケース４１に対して導通可能に接触させた状態で固定される。
【００２１】
この組付け状態では、３つのコネクタ１０におけるシールドケース４１の外部へ突出した略Ｌ字形部分は、シールドカバー１７と筒状取付具２７（シールドシェル２６の端末部）によってシールドされ、３つのコネクタ１０から導出された３本の電線１１はシールドシェル２６により一括してシールドされる。この３つの電線１１を一括シールドするシールドシェル２６は、その下面をシールドケース４１の外面に対して接近した状態で真っ直ぐに配されており、したがって、そのシールドシェル２６の端末部及び筒状取付具２７もシールドケース４１の外面に対して接近して位置している。つまり、シールドケース４１の外面とシールドシェル２６及び筒状取付具２７との間には、無駄な空間が殆ど空いていない状態となっている。
【００２２】
上述のように本実施形態においては、コネクタ１０のうちシールドケース４１外へ突出した略Ｌ字形部分をシールドカバー１７で覆うとともに、シールドシェル２６の端末部を、シールドケース４１の外壁面とほぼ平行な直線状にしたままでシールドカバー１７に接続させるようにしたので、コネクタ１０とシールドケース４１の外壁面との間にはシールドシェル２６の端末部を曲げるためのスペースが不要となり、その分、コネクタ１０のシールドケース４１外への突出寸法を小さくでき、ひいては、装置全体としての小型化が実現されている。
【００２３】
また、シールドカバー１７に開放用開口部２３を形成したことにより、コネクタ１０の略Ｌ字形突出部分とシールドケース４１の外壁面との間にはシールドカバー１７を構成する壁部の一部が介在せずに済むようになり、その分、コネクタ１０をシールドケース４１の外壁面に接近させることが可能となっているのであって、これにより、装置の更なる小型化が実現されている。
尚、本実施形態では、水平部１３ｂのうち後端部については、シールドカバー１７から後方へはみ出すため、筒状取付具２７によって包囲された状態となるが、シールドカバー１７を後方へ延長することにより、水平部１３ｂの全体をシールドカバー１７だけで覆うよすにしてもよい。
【００２４】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態ではシールドカバーをアルミダイキャスト製としたが、本発明によれば、金属板材をプレスにより深絞り加工したものをシールドカバーとしても良く、導電性樹脂によって金型成型したものをシールドカバーとしてもよい。
【図面の簡単な説明】
【図１】実施形態１における分解斜視図
【図２】コネクタを機器に組み付けた状態の縦断面図
【図３】コネクタを機器に組み付けた状態の水平断面図
【図４】コネクタの縦断面図
【図５】シールドカバーの背面側から見た斜視図
【図６】シールドカバーの断面図
【図７】従来例の断面図
【符号の説明】
Ａ…機器用シールドコネクタ装置
１０…コネクタ
１１…電線
１２ａ…接続部
１６…一括シールド手段
１７…シールドカバー
２１…ケース取付用開口部
２２…シェル接続用開口部
２３…開放用開口部
２６…シールドシェル
４０…機器
４１…シールドケース
４２…機器側端子
４３…接続孔
【図１】
0004060068.tif 000002
【図２】
0004060068.tif 000003
【図３】
0004060068.tif 000004
【図４】
0004060068.tif 000005
【図５】
0004060068.tif 000006
【図６】
0004060068.tif 000007
【図７】
0004060068.tif 000008